(57)【特許請求の範囲】
【請求項１】
本体（２０）の下面に空気を吸い込むための吸い込み開口（２１）が位置する天井設置の空気調和装置の室内機であって、
運転時に前記吸い込み開口（２１）付近で天井面に対して傾斜するように回動し、メンテナンス時には前記本体（２０）から離れたメンテナンス位置まで降下するパネル（４）と、
前記運転時および前記メンテナンス時に前記パネル（４）を上昇方向および降下方向へ移動させる昇降手段（７）と、
前記運転時に前記パネル（４）が前記本体（２０）に回動可能に支持される状態を生成するパネル支持手段（８）と、
を備え、
前記昇降手段（７）が、前記パネル支持手段（８）に支持された状態の前記パネル（４）を降下方向に移動させることによって、前記パネル（４）が前記天井面に対して傾斜するように回動する、
空気調和装置の室内機（２）。
【請求項２】
前記パネル支持手段（８）は、
前記パネル（４）の端部に設けられ前記パネル（４）の回動の中心を成す第１回動支持部（４２）と、
前記本体（２０）に移動可能に保持され前記第１回動支持部（４２）を回動可能に支持する第２回動支持部（４３）と、
前記本体（２０）内に配置され、前記第１回動支持部（４２）に対する前記第２回動支持部（４３）の差し込みと抜き取りとを行なう駆動部（５０）と、
を有する、
請求項１に記載の空気調和装置の室内機（２）。
【請求項３】
前記パネル（４）は、前記昇降手段（７）に２点で吊られている、
請求項２に記載の空気調和装置の室内機（２）。
【請求項４】
前記パネル支持手段（８）は、
前記運転時に前記第１回動支持部（４２）に前記第２回動支持部（４３）を差し込み、
前記メンテナンス時には前記第１回動支持部（４２）から前記第２回動支持部（４３）を抜き取る、
請求項３に記載の空気調和装置の室内機（２）。
【請求項５】
前記昇降手段（７）は、
前記運転時に、前記パネル（４）の前記２点を所定の第１距離だけ降下又は上昇させることによって前記パネル（４）を前記第１回動支持部（４２）周りに回動させて前記吸い込み開口（２１）を開閉し、
前記メンテナンス時には、前記パネル（４）の前記２点を前記第１距離よりも大きい第２距離だけ降下又は上昇させることによって前記パネル（４）を前記吸い込み開口（２１）と前記メンテナンス位置との間を移動させる、
請求項４に記載の空気調和装置の室内機（２）。
【請求項６】
本体（２０）の下面に空気を吸い込むための吸い込み開口（２１）が位置する天井設置の空気調和装置の室内機であって、
運転時に前記吸い込み開口（２１）付近で天井面に対して傾斜するように回動し、メンテナンス時には前記本体（２０）から離れたメンテナンス位置まで降下するパネル（４）と、
前記運転時および前記メンテナンス時に前記パネル（４）を吊った状態で上昇方向および降下方向へ移動させる昇降手段（７）と、
前記運転時に前記パネル（４）の端部近傍に支持部材を差し込み前記パネル（４）が前記本体（２０）に回動可能に支持される状態を生成し、前記メンテナンス時には前記パネル（４）の前記端部近傍から前記支持部材を抜き取るパネル支持手段（８）と、
を備え、
前記運転時に前記昇降手段（７）が、前記パネル支持手段（８）に支持された状態の前記パネル（４）を降下方向に移動させることによって、前記パネル（４）が前記天井面に対して傾斜するように回動する、
空気調和装置の室内機（２）。
【請求項７】
前記昇降手段（７）は、
前記運転時に、前記パネル（４）を所定の第１距離だけ降下又は上昇させることによって前記パネル（４）を前記端部近傍の周りに回動させて前記吸い込み開口（２１）を開閉し、
前記メンテナンス時には、前記パネル（４）を前記第１距離よりも大きい第２距離だけ降下又は上昇させることによって前記パネル（４）を前記吸い込み開口（２１）と前記メンテナンス位置との間を移動させる、
請求項６に記載の空気調和装置の室内機（２）。
【発明の詳細な説明】
【技術分野】
【０００１】
本発明は、空気調和装置の室内機に関し、特に、下面に設けられた吸い込み開口をパネルで塞ぐ室内機に関する。
【背景技術】
【０００２】
従来、天井設置型の室内機として、化粧パネルの中央開口を昇降可能なセンターパネルで塞ぐ室内機が広く知られている（例えば、特許文献１参照）。その室内機では、センターパネルは紐で吊られており、昇降装置がその紐を繰り出すことによってセンターパネルが降下し、紐を巻き取ることによってセンターパネルが上昇する。
【０００３】
センターパネルは、フィルタのメンテナンス時に降下し、運転時および停止時には上昇して中央開口を閉じる。つまり中央開口は、フィルタのメンテナンス時に全開するのみで、通常状態では両側の吸込口を残して常に閉じられている。
【０００４】
このようなパネルを昇降させる室内機では、フィルタがパネルに固定され、中央開口両側の吸込口が常時開いた状態であるため、運転停止時であっても吸込口を通してフィルタや室内機内部が人目に触れ、それが使用者に不快感を与える可能性があった。
【特許文献１】特開平１０−１９６９９９号公報
【発明の開示】
【発明が解決しようとする課題】
【０００５】
上記の不快感を解消する目的で、中央開口とその両側の吸込口とを１つの吸い込み開口として統合し、運転停止時には吸い込み開口をパネルで完全に塞ぎ、運転時にはパネルを所定距離降下させて吸い込み開口を開くものが検討されている。しかしながら、その構成では、運転時にパネルが吸い込み空気の風圧で揺れて不安定になる恐れがある。
【０００６】
本発明の課題は、運転停止時に吸い込み開口をパネルで完全に塞ぐことができ、運転時にはパネルが安定した開姿勢を維持することができる空気調和装置の室内機を提供することにある。
【課題を解決するための手段】
【０００７】
第１発明に係る空気調和装置の室内機は、本体の下面に空気を吸い込むための吸い込み開口が位置する天井設置の空気調和装置の室内機であって、パネルと、昇降手段と、パネル支持手段とを備えている。パネルは、運転時に吸い込み開口付近で天井面に対して傾斜するように回動し、メンテナンス時には本体から離れたメンテナンス位置まで降下する。昇降手段は、運転時およびメンテナンス時にパネルを上昇方向および降下方向へ移動させる。パネル支持手段は、運転時にパネルが本体に回動可能に支持される状態を生成する。そして、昇降手段が、パネル支持手段に支持された状態のパネルを降下方向に移動させることによって、パネルが前記天井面に対して傾斜するように回動する。
【０００８】
この室内機では、パネル支持手段がパネルを本体に回動可能に支持することによって、昇降手段によるパネルの上昇及び降下が回動動作に変換され、パネル姿勢を天井面に対して傾斜させることができる。その結果、運転時にパネルが本体に支持された状態で吸い込み開口を開くことができ、吸い込み空気の風圧によって姿勢が不安定になることが防止される。
【０００９】
第２発明に係る空気調和装置の室内機は、第１発明に係る空気調和装置の室内機であって、パネル支持手段が、第１回動支持部と、第２回動支持部と、駆動部とを有している。
第１回動支持部は、パネルの端部に設けられパネルの回動の中心を成す。第２回動支持部は、本体に移動可能に保持され第１回動支持部を回動可能に支持する。駆動部は、本体内に配置され、第１回動支持部に対する第２回動支持部の差し込みと抜き取りとを行なう。
【００１０】
この室内機では、第２回動支持部と駆動部とが本体側に設けられているので、パネル支持手段によるパネルの重量化が抑制される。
【００１１】
第３発明に係る空気調和装置の室内機は、第２発明に係る空気調和装置の室内機であって、パネルは、昇降手段に２点で吊られている。
【００１２】
この室内機では、パネルを２点で吊って平衡させることにより、昇降手段の省部品、省スペースが実現される。
【００１３】
第４発明に係る空気調和装置の室内機は、第３発明に係る空気調和装置の室内機であって、パネル支持手段が、運転時に第１回動支持部に第２回動支持部を差し込み、メンテナンス時には第１回動支持部から第２回動支持部を抜き取る。
【００１４】
この室内機では、昇降手段はパネルを２点のみで平衡させているため、運転時の吸い込み空気対する揺れ防止策が必要となるが、第１回転支持部がパネルを回動可能に支持しているので、吸い込み空気の風圧を受けても不安定にならない。
【００１５】
第５発明に係る空気調和装置の室内機は、第４発明に係る空気調和装置の室内機であって、昇降手段が、運転時に、パネルの２点を所定の第１距離だけ降下又は上昇させることによってパネルを第１回動支持部周りに回動させて吸い込み開口を開閉する。さらに、昇降手段は、メンテナンス時に、パネルの２点を第１距離よりも大きい第２距離だけ降下又は上昇させることによってパネルを吸い込み開口とメンテナンス位置との間を移動させる。
【００１６】
この室内機では、パネルの開閉動作と昇降動作とを切替えるとき、昇降手段は、パネルの２点の昇降距離を変更するだけであり、機構と制御とが簡素である。
【００１７】
第６発明に係る空気調和装置の室内機は、本体の下面に空気を吸い込むための吸い込み開口が位置する天井設置の空気調和装置の室内機であって、パネルと、昇降手段と、パネル支持手段とを備えている。パネルは、運転時に吸い込み開口付近で天井面に対して傾斜するように回動し、メンテナンス時には本体から離れたメンテナンス位置まで降下する。昇降手段は、運転時およびメンテナンス時にパネルを吊った状態で上昇方向および降下方向へ移動させる。パネル生成手段は、運転時にパネルの端部近傍に支持部材を差し込みパネルが本体に回動可能に支持される状態を生成し、メンテナンス時にはパネルの端部近傍から支持部材を抜き取る。そして、運転時に昇降手段が、パネル支持手段に支持された状態のパネルを降下方向に移動させることによって、パネルが天井面に対して傾斜するように回動する。
【００１８】
この室内機では、パネル支持手段がパネルを本体に回動可能に支持することによって、昇降手段によるパネルの上昇及び降下が回動動作に変換され、パネル姿勢を天井面に対して傾斜させることができる。その結果、運転時にパネルが本体に支持された状態で吸い込み開口を開くことができ、吸い込み空気の風圧によって姿勢が不安定になることが防止される。
【００１９】
第７発明に係る空気調和装置の室内機は、第６発明に係る空気調和装置の室内機であって、昇降手段が、運転時に、パネルを所定の第１距離だけ降下又は上昇させることによってパネルを端部近傍の周りに回動させて吸い込み開口を開閉し、メンテナンス時には、パネルを第１距離よりも大きい第２距離だけ降下又は上昇させることによってパネルを吸い込み開口とメンテナンス位置との間を移動させる。
【００２０】
この室内機では、パネルの開閉動作と昇降動作とを切替えるとき、昇降手段は、パネルの昇降距離を変更するだけであり、機構と制御とが簡素である。
【発明の効果】
【００２１】
第１発明または第６発明に係る空気調和装置の室内機では、パネル支持手段がパネルを本体に回動可能に支持することによって、昇降手段によるパネルの上昇及び降下が回動動作に変換され、パネル姿勢を天井面に対して傾斜させることができる。その結果、運転時にパネルが本体に支持された状態で吸い込み開口を開くことができ、吸い込み空気の風圧によって姿勢が不安定になることが防止される。
【００２２】
第２発明に係る空気調和装置の室内機では、第２回動支持部と駆動部とが本体側に設けられているので、パネル支持手段によるパネルの重量化が抑制される。
【００２３】
第３発明に係る空気調和装置の室内機では、パネルを２点で吊って平衡させることにより、昇降手段の省部品、省スペースが実現される。
【００２４】
第４発明に係る空気調和装置の室内機では、昇降手段はパネルを２点のみで平衡させているため、運転時の吸い込み空気対する揺れ防止策が必要となるが、第１回転支持部がパネルを回動可能に支持しているので、吸い込み空気の風圧を受けても不安定にならない。
【００２５】
第５発明に係る空気調和装置の室内機では、パネルの開閉動作と昇降動作とを切替えるとき、昇降手段は、パネルの２点の昇降距離を変更するだけであり、機構と制御とが簡素である。
【００２６】
第７発明に係る空気調和装置の室内機では、パネルの開閉動作と昇降動作とを切替えるとき、昇降手段は、パネルの昇降距離を変更するだけであり、機構と制御とが簡素である。
【発明を実施するための最良の形態】
【００２７】
以下図面を参照しながら、本発明の実施形態について説明する。なお、以下の実施形態は、本発明の具体例であって、本発明の技術的範囲を限定するものではない。
【００２８】
＜室内機＞
図１（ａ）は、本発明の一実施形態に係る室内機の運転停止時の斜視図であり、図１（ｂ）は、同室内機の運転時の斜視図である。図１（ａ），（ｂ）において、空気調和装置の室内機２は、下面に吸い込み開口２１及び吹出口２２を有する本体２０、吸い込み開口２１を開閉するフラットパネル４、及び吸い込み開口２１から吸込まれた空気に含まれる塵埃を除去するフィルタ６を備えている。吸い込み開口２１と吹出口２２とは隣接しており、吸い込み開口２１の面積は、吹出口２２よりも大きく、本体２０下面の相当範囲を占有している。
【００２９】
（フラットパネル４）
フラットパネル４は、吸い込み開口２１全域を塞ぐことができる大きさであり、本体２０側から延びる２本の紐７１で吊り上げられている。２本の紐７１は、フラットパネル４の長手方向の両端部を支持し、図１（ｂ）において手前側の端部を吊り上げる紐７１は、吹出口２２から離れた第１端部４ａ近傍に接続され、図１（ｂ）において奥側の端部を吊り上げる紐７１は、吹出口２２に近い第２端部４ｂ近傍に接続されている。
【００３０】
運転時、フラットパネル４は降下して吸い込み開口２１を開けるが、降下する量が第１端部４ａと第２端部４ｂとでは異なり、第１端部４ａが第２端部４ｂよりも大きく降下するので、フラットパネル４は天井面に対して傾斜するように回動して、吸い込み開口２１を開く。
【００３１】
（フィルタ６）
図２は、フィルタの斜視図である。図２において、フィルタエレメント６ｃは、周囲をフレーム６ａで保持されている。また、フレーム６ａの対向する長辺同士は、補強アーム６ｂで繋がっており、長辺の撓みが抑制されている。
【００３２】
フィルタエレメント６ｃは、ポリエチレンテレフタレート製の繊維（以後、ＰＥＴ繊維と呼ぶ）をプリーツ織りした網状部材であり、折り山の形状を保護するため、補強アーム６ｂは、フィルタエレメント６ｃの折り山に合わせた形状に成形されている。
【００３３】
フィルタエレメント６ｃの繊維を細くすることによって、フィルタ６の塵埃を除去する性能を低下させずに通風抵抗を下げることができるが、繊維の折り目を維持する強度が弱くなるので、上記の補強アーム６ｂが、折り山を維持する機能を兼ねている。また、繊維の折り目を維持する強度が高まるように、材質や径の異なる繊維を、ＰＥＴ繊維同士の間に入れて織り込んでもよい。
【００３４】
図３は、本発明の一実施形態に係る室内機のメンテナンス時の斜視図である。図３において、フラットパネル４は、フィルタ６を載せた状態で降下および上昇することができ、ユーザーは、天井を見上げることなくフィルタ６を取り外して清掃することができる。
【００３５】
フラットパネル４を吊り上げる紐７１は、昇降ユニット７に接続されている。この昇降ユニット７が紐７１を繰り出すことによって、フラットパネル４が降下し、紐７１を巻き取ることによって、フラットパネル４が上昇する。
【００３６】
なお、便宜上、メンテナンス時に、ユーザーが台などに登ることなくフラットパネル４からフィルタ６を脱着することできる位置をメンテナンス位置と呼ぶ。また、運転時にフラットパネル４が吸い込み開口２１を開いた位置を開位置と呼び、運転停止時にフラットパネル４が吸い込み開口２１を閉じた位置を閉位置と呼ぶ。
【００３７】
さらに、フラットパネル４を閉位置から開位置へ移動させるために繰り出す紐７１の繰り出し長さに相当する距離を第１距離と呼び、フラットパネル４を閉位置からメンテナンス位置へ移動させるために繰り出す紐７１の繰り出し長さに相当する距離を第２距離と呼ぶ。
【００３８】
（昇降ユニット７）
図４は、昇降ユニット内部の正面図である。図４において、昇降ユニット７は、紐７１以外に、滑車７２、巻取り歯車７３、駆動歯車７４、モータ７５およびスイッチ７６を備えている。
【００３９】
滑車７２は、滑車部７２ａとカム部７２ｂとが一体に成形されており、滑車部７２ａは、紐７１を支え、紐７１の移動に伴って回転する。カム部７２ｂは、小径曲面と大径曲面とそれら両曲面を結ぶ平面とから成る。
【００４０】
巻取り歯車７３は、紐７１を巻取るボビン７３ａと歯車部７３ｂとが一体に成形されている。駆動歯車７４は、巻取り歯車７３の歯車部７３ｂと噛み合い、ボビン７３ａを回転させる。
【００４１】
モータ７５は、ステッピングモータであり駆動歯車７４を回転させる。モータ７５の回転数は、制御部１０から供給されるパルス数によって制御される。なお、制御部１０は、ＣＰＵ、メモリ及びモータドライブ回路を搭載しており、昇降ユニット７から離れた他の位置に配置されている。モータ７５と制御部１０はワイヤハーネスによって電気的に接続されている。
【００４２】
スイッチ７６は、レバー７６ａを有するマイクロスイッチであり、レバー７６ａが押されることによってオンする。レバー７６ａは、常に滑車７２のカム部７２ｂと接触しており、カム部７２ｂの大径曲面と対峙したときに押される。スイッチ７６も、制御部１０とワイヤハーネスによって電気的に接続されている。
【００４３】
（昇降ユニット７の動作）
図４において、昇降ユニット７が紐７１を繰り出す場合、モータ７５は駆動歯車７４をＣＷ方向へ回転させる。これによって、巻取り歯車７３は、紐７１を繰り出す方向に回転する。一方、昇降ユニット７が紐７１を巻き取る場合、モータ７５は駆動歯車７４をＣＣＷ方向へ回転させる。これによって、巻取り歯車７３は、紐７１を巻き取る方向に回転する。紐の繰り出し量および巻き取り量は、モータ７５の回転量に比例しており、制御部１０が、モータ７５へ供給するパルス数を制御することによって、紐７１の繰り出し量および巻き取り量が制御される。
【００４４】
紐７１の先端にはフラットパネル４が連結されているため、紐７１には常に張力が発生しており、紐７１が繰り出されるとき、又は紐７１が巻き取られるとき、滑車部７２ａが紐７１との摩擦力によって回転する。このとき、カム部７２ｂも回転するので、スイッチ７６は、レバー７６ａがカム部７２ｂの大径曲面と対峙したときにオン信号を発し、小径曲面と対峙したときにはオフ信号を発する。滑車７２が回転している間は、オン信号とオフ信号が交互に発生し、これらの信号は、すべて制御部１０に入力される。
【００４５】
しかし、何らかの要因で紐７１が弛み張力がなくなった場合、例えば、メンテナンスのために紐７１を繰り出してフラットパネル４を降下させているときに、所定の繰り出し量に達する前に、フラットパネル４がテーブルなどの上に着地して停止した場合には、紐７１と滑車部７２ａとの摩擦力が減退し滑車７２が停止する。このため、スイッチ７６からは、オン信号又はオフ信号のいずれか一方が連続的に出力される。このとき、制御部１０では、モータ７５が回転しているときにスイッチ７６からの信号が一定になっていることから、フラットパネル４が何らかの障害物によって停止したと推定し、直ちにモータ７５を停止させる。
【００４６】
（パネル支持手段８とフィルタ支持状態切替え手段９）
図５は、図１（ａ）の室内機の内部を上方から視たときの部分斜視図である。図５において、フラットパネル４には、リブ４１と軸受４２とが設けられている。リブ４１には孔４１ａと溝４１ｂとが形成されており、孔４１ａには紐７１の先端が連結される。軸受４２は、長孔となるように成形されている。
【００４７】
フィルタ６のフレーム６ａは第２フレーム６１に固定され、第２フレーム６１はフラットパネル４に脱着可能に支持される。第２フレーム６１の端部には、矢印Ｂの方向に摺動可能なスライド部材６２が収納されている。スライド部材６２は傾斜部６２ａ、突起部６２ｂ及び係止部６２ｃを有している。図５では、スライド部材６２の突起部６２ｂが、リブ４１の溝４１ｂに嵌まり込んでいるので、フィルタ６はフラットパネル４に支持された状態である。
【００４８】
フラットパネル４の上方には、駆動ユニット５０、軸４３及び押しカム６３が設置されている。駆動ユニット５０は、軸４３及び押しカム６３を矢印Ａの方向へ移動させることができる。このとき、軸４３は軸受４２に差し込まれ、フラットパネル４が軸４３に回転可能に支持される。この一連の動作が連結動作であり、軸受４２、軸４３および駆動ユニット５０は、パネル支持手段８となる。
【００４９】
軸４３が軸受４２へ差し込まれると同時に、押しカム６３は、スライド部材６２の傾斜部６２ａを押しながら、第２フレーム６１に差し込まれる。このとき、突起部６２ｂが溝４１ｂから外れ、係止部６２ｃが本体２０に架かる。その結果、フラットパネル４に支持されていたフィルタ６が、本体２０に支持されるようになる。この一連の動作が切替え動作であり、スライド部材６２、押しカム６３及び駆動ユニット５０は、フィルタ支持状態切替え手段９となる。
【００５０】
（駆動ユニット５０）
図６は、駆動ユニットの内部を示す断面図である。図６において、駆動ユニット５０は、ケース５１、モータ５２、ピニオンギア５３、ラック５４及びクランクシャフト５５を備えている。ケース５１の内部は、第１区画５１１、第２区画５１２及び第３区画５１３の３つの区画に仕切られている。モータ５２はステッピングモータであり、回転数は制御部１０から供給されるパルス数によって制御される。モータ５２は、第１区画５１１に収納されているが、回転軸は第２区画５１２にある。
【００５１】
ピニオンギア５３とラック５４とは、互いに噛み合った状態で第２区画５１２に収納されている。ピニオンギア５３は、モータ５２の回転軸に連結されているので、モータ５２の回転によってピニオンギア５３が回転し、ラック５４が滑り移動する。
【００５２】
クランクシャフト５５は、１つの回転中心軸５５ａと、３つのクランク軸５５１，５５２，５５３とを有している。回転中心軸５５ａは第３区画５１３に支持され、第１クランク軸５５１はラック５４に連結されている。さらに、第２クランク軸５５２は軸４３に連結され、第３クランク軸５５３は押しカム６３に連結されている。
【００５３】
（駆動ユニット５０の動作）
図６において、モータ５２がピニオンギア５３をＣ方向へ回転させると、ラック５４がＤ方向へ滑り移動する。このとき、ラック５４に連結されている第１クランク軸５５１もＤ方向に移動するので、クランクシャフト５５は、回転中心軸５５ａを中心にＥ方向へ回転する。その結果、第２クランク軸５５２が軸４３を矢印Ａの方向へ押し出し、第３クランク軸５５３が押しカム６３を矢印Ａの方向へ押し出す。
【００５４】
（スライド部材６２）
図７は、第２フレーム及びスライド部材の斜視図である。図７において、スライド部材６２は傾斜部６２ａ、突起部６２ｂ、係止部６２ｃ及び四角孔６２ｄを有している。四角孔６２ｄの一方の端部には、第２フレーム６１の停止板６１ａが入りこみ、さらにこの停止板６１ａと四角孔６２ｄの他方の端部との間にスプリング６４が配置される。傾斜部６２ａが押しカム６３（図５参照）に押されて、スライド部材６２が矢印Ｂの方向に移動するときは、スプリング６４を圧縮しながら移動するので、スライド部材６２は、矢印Ｂとは反対方向の抗力を受ける。
【００５５】
（スライド部材６２の動作）
図８は、図５の軸および押しカムを移動させた状態の斜視図である。図８において、押しカム６３が、スライド部材６２の傾斜部６２ａを押すことによって、スライド部材６２に矢印Ｂ方向の力が作用し移動する。この移動によって、突起部６２ｂが溝４１ｂから外れ、フラットパネル４のフィルタ６に対する支持が解除される。同時に、係止部６２ｃが突出して本体２０に架かるので、フィルタ６は本体２０に支持された状態となる。
【００５６】
（運転時のフラットパネル４の動作）
図９は、図８のフラットパネルを開いた状態の斜視図である。図９において、紐７１が繰り出されると、フラットパネル４は、自重によって降下する。軸受４２は、長孔に成形されているので、軸受４２に軸４３が差し込まれた状態であっても、軸受４２と軸４３との間には鉛直方向のクリアランスが存在する。その結果、フラットパネル４の第２端部４ｂは、軸受４２と軸４３との鉛直方向のクリアランス分だけ降下して停止する。その後は、フラットパネル４の第１端部４ａが、軸４３を中心に回転しながら所定距離だけ降下し、吸い込み開口２１を開状態にする。なお、軸４３には、フラットパネル４が軸方向へ移動することを規制するため、軸４３より大きい直径の円柱から成る規制部４３ａが形成されている。
【００５７】
そのフラットパネル４の閉位置から開位置までの動作をさらに詳細に述べるため、図１０を用いて説明する。図１０（ａ）は、本発明の一実施形態に係る室内機におけるフラットパネルが閉位置にあるときの概略断面図である。図１０（ｂ）は、同フラットパネルが閉位置から開位置へ至る途中の概略断面図である。図１０（ｃ）は、同フラットパネルが開位置にあるときの断面図である。
【００５８】
図１０（ａ）、図１０（ｂ），図１０（ｃ）において、フラットパネル４が閉位置である時は、軸４３は、軸受４２の長穴の下側端部に嵌合された状態にある（図１０（ａ）参照）。この状態からフラットパネル４が開位置に至る時、先ずは、昇降ユニット７により各紐７１が繰り出される。すると、軸受４２は、長穴により本体２０の下方にスライドし、フラットパネル４は、略水平な状態を保って軸受４２と共に降下する（図１０（ｂ）参照）。
【００５９】
やがて、長穴の上側端部が軸４３に到達すると、軸受４２のスライドは停止する。この時、フラットパネル４は、所定位置まで降下していることになる。軸受４２のスライドが停止した後、紐７１は、昇降ユニット７により更に所定の長さだけ繰り出される。すると、フラットパネル４は、長穴の上側端部に嵌合された状態の軸４３を中心として回動し、閉位置に対して傾斜する開位置となる（図１０（ｃ）参照）。
【００６０】
一方、上記の開状態から、紐７１を巻き取ると、第１端部４ａは軸４３を中心に吸い込み開口２１を閉じる方向に回転し、第１端部４ａと第２端部４ｂとが同じ高さになったときに、フラットパネル４は、ほぼ水平となり、その後、第１端部４ａ及び第２端部４ｂは、共に、軸受４２と軸４３とのクリアランス分だけ上昇し、吸い込み開口２１を閉じる。
【００６１】
フラットパネル４が軸４３を中心に回動して吸い込み開口２１を開ける動作は、室内機２が運転を開始するときであり、このとき、フィルタ６は、スライド部材６２の係止部６２ｃが本体２０に架かっているので、フラットパネル４の動作に追従しない。
【００６２】
（メンテナンス時のフラットパネル４の動作）
フィルタ６の清掃などのメンテナンスを行なうときは、図５の状態から紐７１を繰り出す。図５の状態は、突起部６２ｂが溝４１ｂに嵌まり込んでおり、フィルタ６がフラットパネル４に連結されている状態であり、フラットパネル４とフィルタ６とは一緒に降下することができる。また、軸受４２に軸４３が差し込まれていないので、フラットパネル４は、回動することなく、水平に降下することができる。
【００６３】
＜特徴＞
（１）
室内機２では、駆動ユニット５０が、運転時にフラットパネル４の軸受４２に軸４３を差し込み、メンテナンス時には軸受４２から軸４３を抜き取る。軸４３は、フラットパネル４を回動可能に支持するので、昇降ユニット７によるフラットパネル４の上昇及び降下が回動動作に変換され、フラットパネル４の姿勢を天井面に対して傾斜させることができる。その結果、運転時にフラットパネル４が本体に支持された状態で吸い込み開口２１を開くことができ、吸い込み空気の風圧によって姿勢が不安定になることが防止される。
【００６４】
（２）
室内機２では、昇降ユニット７が、運転時に、フラットパネル４の２点を所定の第１距離だけ降下又は上昇させることによってフラットパネル４を軸受４２周りに回動させて吸い込み開口２１を開閉する。さらに、昇降ユニット７は、メンテナンス時に、フラットパネル４の２点を第１距離よりも大きい第２距離だけ降下又は上昇させることによってフラットパネルを吸い込み開口２１とメンテナンス位置との間を移動させる。このため、フラットパネル４の開閉動作と昇降動作との切替えは、昇降ユニット７がフラットパネル４の２点の昇降距離を変更することで達成され、機構と制御とが簡素となる。
【産業上の利用可能性】
【００６５】
以上のように、本発明によれば、運転時のフラットパネルの姿勢が安定するので、フラットパネルが吸い込み開口を開閉するタイプの室内機に有用である。
【図面の簡単な説明】
【００６６】
【図１】（ａ）本発明の一実施形態に係る室内機の運転停止時の斜視図。（ｂ）同室内機の運転時の斜視図。
【図２】フィルタの斜視図。
【図３】本発明の一実施形態に係る室内機のメンテナンス時の斜視図。
【図４】昇降ユニット内部の正面図。
【図５】図１（ａ）の室内機の内部を上方から視たときの部分斜視図。
【図６】駆動ユニットの内部を示す断面図。
【図７】第２フレーム及びスライド部材の斜視図。
【図８】図５の軸および押しカムを移動させた状態の斜視図。
【図９】図８のフラットパネルを開いた状態の斜視図。
【図１０】（ａ）本発明の一実施形態に係る室内機の断面図。（ｂ）同フラットパネルが閉位置から開位置へ至る途中の断面図。（ｃ）同フラットパネルが開位置にあるときの断面図。
【符号の説明】
【００６７】
２  室内機
４  フラットパネル
７  昇降ユニット（昇降手段）
８  パネル支持手段
２０  本体
２１  吸い込み開口
４２  軸受（第１回動支持部）
４３  軸（第２回動支持部）
５０  駆動ユニット
【図１】
0004341711.tif 000002
【図２】
0004341711.tif 000003
【図３】
0004341711.tif 000004
【図４】
0004341711.tif 000005
【図５】
0004341711.tif 000006
【図６】
0004341711.tif 000007
【図７】
0004341711.tif 000008
【図８】
0004341711.tif 000009
【図９】
0004341711.tif 000010
【図１０】
0004341711.tif 000011